(57)【要約】【課題】付加価値の高い写真アルバム及び写真アルバムの製造方法を提供する。【解決手段】第一目印１１，２１と，第二目印１２，２２と，第三目印１３，２３と，写真１４，２４と，を含む同一の画像を、印画紙１０及び粘着性シート２０にそれぞれ印刷する印刷工程１００と、印画紙１０の外周を第一目印１１に沿って切断する第一切断工程３００と、印画紙１０を芯紙に貼着する第一貼着工程４００と、粘着性シート２０の外周を第二目印２２に沿って切断する第二切断工程５００と、粘着性シート２０を印画紙１０の第二目印２２に合わせて貼着する第二貼着工程６００と、粘着性シート２０を写真２４の周囲において切断する第三切断工程７００と、粘着性シート２０の写真シール２６以外の部位を印画紙１０から剥がす剥離工程８００と、印画紙１０の第三目印１３に沿って、芯紙及び印画紙１０の外周を切断する第四切断工程９００と、を備える。【選択図】図１
2018069554.tif 000002
【特許請求の範囲】
【請求項１】
目印として付される複数の第一目印と，前記第一目印の内方にそれぞれ付される複数の第二目印と，前記第二目印の内方にそれぞれ付される複数の第三目印と，写真と，を含む同一の画像を、印画紙及び粘着性シートのおもて面にそれぞれ印刷する印刷工程と、
前記印刷された印画紙の外周を前記第一目印に沿って切断する第一切断工程と、
前記第一目印に沿って切断された印画紙を芯紙のおもて面に貼着する第一貼着工程と、
前記画像が印刷された粘着性シートの外周を前記第二目印に沿って切断する第二切断工程と、
前記第二目印に沿って切断された粘着性シートを前記芯紙に貼着された印画紙の第二目印に合わせて貼着する第二貼着工程と、
前記印画紙に貼着された粘着性シートを、前記印画紙を切断することなく前記粘着性シートに印刷された写真の周囲においておもて面側から切断する第三切断工程と、
前記粘着性シートの写真の周囲が切断されてなる写真シールのみを前記印画紙に貼着した状態で残すように、前記粘着性シートの前記写真シール以外の部位を前記印画紙から剥がす剥離工程と、
前記粘着性シートの前記写真シール以外の部位を剥がして露出した前記印画紙の前記第三目印に沿って、前記芯紙及び前記印画紙の外周を切断する第四切断工程と、を備えることを特徴とする写真アルバムの製造方法。
【請求項２】
前記第三切断工程において、
前記写真の輪郭よりも内方において前記写真シールを切り出すことを特徴とする請求項１に記載の写真アルバムの製造方法。
【請求項３】
前記印刷工程の後かつ前記第一切断工程の前に、前記印画紙のおもて面にラミネート加工を施すラミネート工程を備えることを特徴とする請求項１又は２に記載の写真アルバムの製造方法。
【請求項４】
芯紙と、
画像が印刷されるとともに前記芯紙のおもて面に貼着された印画紙と、を備える写真アルバムにおいて、
前記印画紙の画像に含まれる第一写真と同一の写真で、しかも前記第一写真における輪郭よりも内方でトリミングされた第二写真が印刷されてなる写真シールを備え、
前記印画紙の第一写真に対して前記第二写真の位置を合わせるように前記写真シールが前記印画紙のおもて面に重ねて貼着されたことを特徴とする写真アルバム。
【発明の詳細な説明】
【技術分野】
【０００１】
本発明は、芯紙と、画像が印刷された印画紙を備える写真アルバム及び写真アルバムの製造方法に関するものである。
【背景技術】
【０００２】
結婚式や七五三等の記念の行事においてはプロのカメラマンに写真を撮ってもらうことが多く、また最近ではデジタルカメラが個人にも広く普及しているのでそれらの行事のときに個人で写真を撮影することも少なくない。
そのような記念写真は通常の写真とは異なり、写真アルバムを作る等、特別な方法で保存することが多い。
【０００３】
ここでいう写真アルバムとは、購入者が手にしたときには画像が印画紙に印刷済みである、ページ数が一枚以上のものを全て含み、例えば一枚、見開き、三つ折り等の印刷済みの写真台紙と呼ばれるものも含む。
【０００４】
このような写真アルバムに関して、本出願人は過去に特許出願を行っている（特許文献１，２）。
【先行技術文献】
【特許文献】
【０００５】
【特許文献１】特開２０１３−８６４３５号公報
【特許文献２】特開２０１５−１３４４８２号公報
【発明の概要】
【発明が解決しようとする課題】
【０００６】
本出願人はこのような写真アルバムを、さらに付加価値の高い商品とするために創意工夫を重ねることにより、本発明を完成するに至った。
【０００７】
本発明の目的とするところは、付加価値の高い写真アルバム及び写真アルバムの製造方法を提供することにある。
【課題を解決するための手段】
【０００８】
上記の目的を達成するために、本発明の請求項１に記載の写真アルバムの製造方法は、目印として付される複数の第一目印（１１，２１）と，前記第一目印（１１，２１）の内方にそれぞれ付される複数の第二目印（１２，２２）と，前記第二目印（１２，２２）の内方にそれぞれ付される複数の第三目印（１３，２３）と，写真（１４，２４）と，を含む同一の画像を、印画紙（１０）及び粘着性シート（２０）のおもて面にそれぞれ印刷する印刷工程（１００）と、前記印刷された印画紙（１０）の外周を前記第一目印（１１）に沿って切断する第一切断工程（３００）と、前記第一目印（１１）に沿って切断された印画紙（１０）を芯紙のおもて面に貼着する第一貼着工程（４００）と、前記画像が印刷された粘着性シート（２０）の外周を前記第二目印（２２）に沿って切断する第二切断工程（５００）と、前記第二目印（２２）に沿って切断された粘着性シート（２０）を前記芯紙に貼着された印画紙（１０）の第二目印（２２）に合わせて貼着する第二貼着工程（６００）と、前記印画紙（１０）に貼着された粘着性シート（２０）を、前記印画紙（１０）を切断することなく前記粘着性シート（２０）に印刷された写真（２４）の周囲においておもて面側から切断する第三切断工程（７００）と、前記粘着性シート（２０）の写真（２４）の周囲が切断されてなる写真シール（２６）のみを前記印画紙（１０）に貼着した状態で残すように、前記粘着性シート（２０）の前記写真シール（２６）以外の部位を前記印画紙（１０）から剥がす剥離工程（８００）と、前記粘着性シート（２０）の前記写真シール（２６）以外の部位を剥がして露出した前記印画紙（１０）の前記第三目印（１３）に沿って、前記芯紙及び前記印画紙（１０）の外周を切断する第四切断工程（９００）と、を備えることを特徴とする。
【０００９】
また、請求項２に記載の写真アルバムの製造方法は、前記第三切断工程（７００）において、前記写真（２４）の輪郭よりも内方において前記写真シール（２６）を切り出すことを特徴とする。
【００１０】
また、請求項３に記載の写真アルバムの製造方法は、前記印刷工程（１００）の後かつ前記第一切断工程（３００）の前に、前記印画紙（１０）のおもて面にラミネート加工を施すラミネート工程（２００）を備えることを特徴とする。
【００１１】
また、請求項４に記載の写真アルバムは、芯紙と、画像が印刷されるとともに前記芯紙のおもて面に貼着された印画紙（１０）と、を備える写真アルバムにおいて、前記印画紙（１０）の画像に含まれる第一写真（１４）と同一の写真で、しかも前記第一写真（１４）における輪郭よりも内方でトリミングされた第二写真（２４）が印刷されてなる写真シール（２６）を備え、前記印画紙（１０）の第一写真（１４）に対して前記第二写真（２４）の位置を合わせるように前記写真シール（２６）が前記印画紙（１０）のおもて面に重ねて貼着されたことを特徴とする。
【００１２】
ここで、上記括弧内の記号は、図面および後述する発明を実施するための形態に掲載された対応要素または対応事項を示す。
【発明の効果】
【００１３】
本発明によれば、写真アルバムとして楽しむことができるだけでなく、その写真アルバムにも印刷されている写真を写真シールとしても使うことができる。
しかも、写真シールを剥がしてもその下から同じ写真が現れるので、写真シールの剥離後も引き続き写真アルバムとして鑑賞可能である。
このように、写真アルバムの付加価値が高く、魅力ある商品となる。
【００１４】
また、粘着性シートの写真の輪郭よりも内方において写真シールを切り出すので、写真シールの周端まで写真が印刷され、見栄えがよい。
【００１５】
また、第一目印，第二目印，第三目印，写真を含む同一の画像を印画紙及び粘着性シートにそれぞれ印刷し、第二目印を使用して粘着性シートを印画紙に貼着するので、印画紙と粘着性シートの収縮率が異なっても印画紙における写真と写真シールにおける写真の位置を精度良く合わせることが可能である。
印画紙における写真と写真シールにおける写真の位置が精度良く合っているので、印画紙に写真シールが貼着された状態でも見る者に違和感を与え難く、写真アルバムとして鑑賞可能である。
【００１６】
また、印画紙が芯紙に貼着されているので、印画紙の切断や粘着性シートの貼着といった作業が安定し、切断や貼着の精度が高くなる。
【００１７】
また、本発明によれば、印画紙のおもて面にラミネート加工を施すので、写真シールを剥離し易い。
【００１８】
なお、本発明の写真アルバム及び写真アルバムの製造方法のように、印画紙の写真に対して写真シールの写真の位置を合わせるように写真シールを貼着する点は、上述した特許文献１には全く記載されていない。
【図面の簡単な説明】
【００１９】
【図１】本発明の実施形態に係る写真アルバムの製造方法における製造工程を示す図である。
【図２】本発明の実施形態に係る写真アルバムにおける印画紙を示す平面図である。
【図３】本発明の実施形態に係る写真アルバムにおける写真シールを示す平面図である。
【図４】図１に示す製造工程のうち、第一切断工程を示す平面図である。
【図５】図１に示す製造工程のうち、第二切断工程を示す平面図である。
【図６】図１に示す製造工程のうち、第二貼着工程を示す平面図である。
【図７】図１に示す製造工程のうち、第三切断工程を示す平面図である。
【図８】図１に示す製造工程のうち、第四切断工程を示す平面図である。
【発明を実施するための形態】
【００２０】
図１乃至図８を参照して、本発明の実施形態に係る写真アルバム及び写真アルバムの製造方法を説明する。
この写真アルバムは、少なくとも芯紙（図示しない）と、印画紙１０と、写真シール２６と、を備え、結婚記念アルバムのようにオンデマンド方式による少部数の個人的な写真アルバムである。
【００２１】
本明細書において内方とは、紙面又は写真１４，２４における中央側をいう。
また、写真アルバムとは、購入者が手にしたときには画像が印画紙１０に印刷済みである、ページ数が一枚以上のものを全て含み、本実施形態においては見開きの写真台紙とも呼ばれるものについて説明する。
【００２２】
この写真アルバムの製造方法は、図１に示すように、印刷工程１００と、ラミネート工程２００と、第一切断工程３００と、第一貼着工程４００と、第二切断工程５００と、第二貼着工程６００と、第三切断工程７００と、剥離工程８００と、第四切断工程９００と、を備える。
【００２３】
まず、印刷工程１００において、図２及び図３に示すように、目印として付される複数の第一目印１１，２１と，第一目印１１，２１の内方にそれぞれ付される複数の第二目印１２，２２と，第二目印１２，２２の内方にそれぞれ付される複数の第三目印１３，２３と，複数の写真１４，２４と，を含む同一の画像を、矩形状の印画紙１０及び粘着性シート２０のおもて面にそれぞれ印刷する。
粘着性シート２０の裏面には剥離紙（図示しない）を備える。
第一目印１１，２１、第二目印１２，２２、第三目印１３，２３は四隅に配置され、複数の写真１４，２４は第三目印１３，２３の内方に配置されている。これらの目印は印刷業界ではトンボと呼ばれている。
【００２４】
同一の画像とは、同じ画像データを同一縮尺で印画紙１０及び粘着性シート２０に印刷したものである。
複数の写真１４，２４のレイアウトは、四隅の第三目印１３，２３の内方に配置されていればどのようなものでもよく、写真１４，２４は様々な大きさのものを混在させている。
この印画紙１０は写真アルバムとしたときに左右方向中央で二つ折りにする為、左右方向中央に広めの余白を設けている。
印画紙１０と粘着性シート２０とは互いに材質が異なる。そして、印刷時に加わる熱によって印画紙１０及び粘着性シート２０に収縮が生じるが、印画紙１０と粘着性シート２０の収縮率も互いに異なる。
【００２５】
次に、ラミネート工程２００において、印刷された印画紙１０のおもて面にラミネート加工を施す。
このラミネートは透明のポリプロピレンフィルムであり、印画紙１０に印刷された画像の視認性を低下させるものではない。
【００２６】
次に、図４に示すように第一切断工程３００において、印刷された印画紙１０の外周を第一目印１１に沿って切断する。つまり、印画紙１０は当初より一回り小さい矩形状となる。
【００２７】
次に、第一貼着工程４００において、第一目印１１に沿って切断された印画紙１０を芯紙のおもて面に貼着する。
芯紙はいわゆる厚紙であって、印画紙１０を補強するものである。
【００２８】
次に、図５に示すように第二切断工程５００において、画像が印刷された粘着性シート２０の外周を第二目印２２に沿って切断する。
【００２９】
次に、図６に示すように第二貼着工程６００において、第二目印２２に沿って切断された粘着性シート２０から剥離紙を取って、その粘着性シート２０を芯紙に貼着された印画紙１０の第二目印２２に合わせて貼着する。
この段階で、下から芯紙、印画紙１０、粘着性シート２０の順に重なっている。
【００３０】
次に、図７に示すように第三切断工程７００において、印画紙１０に貼着された粘着性シート２０を、印画紙１０（ラミネート含む）を切断することなく粘着性シート２０に印刷された写真２４の周囲においておもて面側から切断する。
詳しくは、粘着性シート２０に対しておもて面側からダイヤモンド刃を入れて、写真２４の輪郭よりも内方において写真シール２６を切り出すように、切れ目が環状に繋がるようにした。このとき、ラミネートの表面も傷つかないようにした。切り出す基準位置は印画紙１０及び粘着性シート２０の一つの隅部である。
また、第三切断工程７００を経ても、粘着性シート２０の裏面全体に粘着力があるので、自然に粘着性シート２０が剥がれてしまうということはない。
【００３１】
次に、剥離工程８００において、粘着性シート２０の写真２４の周囲が切断されてなる写真シール２６のみを印画紙１０に貼着した状態で残すように、粘着性シート２０の写真シール２６以外の部位を印画紙１０から剥がす。
つまり、剥離工程８００後には、複数の写真シール２６が印画紙１０に貼着された状態となっている。
このとき、粘着性シート２０の剥がした部位の下から印画紙１０の第三目印１３が露出する。
【００３２】
最後に、図８に示すように第四切断工程９００において、粘着性シート２０の写真シール２６以外の部位を剥がして露出した印画紙１０の第三目印１３に沿って、芯紙及び印画紙１０の外周を切断する。
【００３３】
このように製造すると、印画紙１０の画像に含まれる第一写真１４と同一の写真で、しかも第一写真１４における輪郭よりも内方でトリミングされた第二写真２４が印刷されてなる写真シール２６が、印画紙１０の第一写真１４に対して位置を合わせるように貼着された状態となる。
【００３４】
以上のように製造された写真アルバムによれば、写真アルバムとして楽しむことができるだけでなく、その写真アルバムにも印刷されている写真を写真シール２６としても使うことができる。
しかも、写真シール２６を剥がしてもその下から同じ写真が現れるので、写真シール２６の剥離後も引き続き写真アルバムとして鑑賞可能である。
このように、写真アルバムの付加価値が高く、魅力ある商品となる。
【００３５】
また、粘着性シート２０の写真の輪郭よりも内方において写真シール２６を切り出すので、写真シール２６の周端まで写真が印刷され、見栄えがよい。
【００３６】
また、第一目印１１，２１，第二目印１２，２２，第三目印１３，２３，写真１４，２４を含む同一の画像を印画紙１０及び粘着性シート２０にそれぞれ印刷し、第二目印２２を使用して粘着性シート２０を印画紙１０に貼着するので、印画紙１０と粘着性シート２０の収縮率が異なっても印画紙１０における写真１４と写真シール２６における写真２４の位置を精度良く合わせることが可能である。
このように、印画紙１０における写真１４と写真シール２６における写真２４の位置が精度良く合っているので、印画紙１０に写真シール２６が貼着された状態でも見る者に違和感を与え難く、写真アルバムとして鑑賞可能である。
【００３７】
さらに、印画紙１０が芯紙に貼着されているので、印画紙１０の切断や粘着性シート２０の貼着といった作業が安定し、切断や貼着の精度が高くなる。
また、印画紙１０のおもて面にラミネート加工を施すので、写真シール２６を剥離し易い。
【００３８】
また、第三切断工程７００においてダイヤモンド刃で切断したので、シャープな切断面となり、粘着性シート２０の内部の白い部分がおもて面側から見え難い。
【００３９】
なお、本実施形態において、写真アルバムとして見開きの写真台紙としたがこれに限られるものではなく、一枚物の写真台紙や三つ折り写真台紙であってもよい。また、何ページも台紙を有する写真アルバムであってもよい。
【００４０】
また、第二切断工程５００を第一貼着工程４００の後に行ったが、この第二切断工程５００はこの順番でなくても、印刷工程１００の後かつ第二貼着工程６００の前であればどのタイミングで行ってもよい。
【００４１】
また、印画紙１０と粘着性シート２０に同一の写真１４，２４を印刷したが、これに限られるものではなく、印画紙１０の収縮率と粘着性シート２０の収縮率が大きく異なる場合にはその収縮率を考慮して一方を拡大又は縮小してもよい。つまり、印刷後の状態において同一画像、同一縮尺であればよい。
【００４２】
さらに、第三切断工程７００において、写真２４の輪郭よりも内方において写真シール２６を切り出したが、これに限られるものではなく、写真２４の輪郭で写真シール２６を切り出してもよい。
【００４３】
また、ラミネート工程２００を備えたが、第三切断工程７００において印画紙１０のおもて面が傷ついてしまわない程度に印画紙１０のおもて面に強度がある場合や、印画紙１０のおもて面に適切な剥離性がある場合には、印画紙１０がラミネート加工されなくてもよい。
また、第四切断工程９００の後に、芯紙の裏面に表紙を付ける等、他の工程が含まれてもよい。
【００４４】
また、第三切断工程７００においてダイヤモンド刃で切断したが、刃物はこれに限られるものではない。
【符号の説明】
【００４５】
１０      印画紙
１１      第一目印
１２      第二目印
１３      第三目印
１４      写真（第一写真）
２０      粘着性シート
２１      第一目印
２２      第二目印
２３      第三目印
２４      写真（第二写真）
２６      写真シール
１００      印刷工程
２００      ラミネート工程
３００      第一切断工程
４００      第一貼着工程
５００      第二切断工程
６００      第二貼着工程
７００      第三切断工程
８００      剥離工程
９００      第四切断工程
【図１】
2018069554.tif 000003
【図２】
2018069554.tif 000004
【図３】
2018069554.tif 000005
【図４】
2018069554.tif 000006
【図５】
2018069554.tif 000007
【図６】
2018069554.tif 000008
【図７】
2018069554.tif 000009
【図８】
2018069554.tif 000010